(57)【要約】【課題】外観を損ねたり、配線類の引出位置が制約を受けたりすることなく、配線類を収容することができる化粧板及びその製造方法を提供する。【解決手段】吊り戸棚の天板として使用される化粧板は、２枚の板材Ｐ１、Ｐ２の貼り合わせ面に、相互に対応するように、長手方向の一端から他端に延びる配線収容溝Ｇ１、Ｇ２を形成した後、２枚の板材Ｐ１、Ｐ２を相互に貼り合わせることによって木質基材Ｍを形成し、この木質基材Ｍを、高圧メラミン板Ｓを用いて被覆することによって製造される。この化粧板からなる天板には、その内部に配線通路Ｇが形成されることになり、従来の化粧板のように、配線収容溝やこれを閉塞する樹脂カバー等が露出することがなく、その形成位置も制約を受けないので、この化粧板を使用して製造される吊り戸棚は、その外観が損なわれることがなく、配線類の引出位置が制約を受けることもない。【選択図】        図５
2004222813.tif 000002
【特許請求の範囲】
【請求項１】
木質基材が表面化粧材によって被覆された化粧板において、前記木質基材は、２枚の板材を相互に貼り合わせることによって形成されており、
２枚の前記板材のいずれか一方または双方の貼り合わせ面に、配線類を収容するための配線収容溝が形成されていることを特徴とする化粧板。
【請求項２】
前記表面化粧材として、メラミン板またはメラミンシートが使用されている請求項１に記載の化粧板。
【請求項３】
相互に貼り合わされる２枚の板材のいずれか一方または双方の貼り合わせ面に、配線類を収容するための配線収容溝を形成した後、
２枚の前記板材を相互に貼り合わせることによって木質基材を形成し、
前記木質基材を、表面化粧材によって被覆するようにしたことを特徴とする化粧板の製造方法。
【発明の詳細な説明】
【０００１】
【発明の属する技術分野】
この発明は、例えば、吊り戸棚、家電収納ボックス、キッチンカウンター等に使用される、電源コード等の配線類を収容することができる化粧板及びその製造方法に関する。
【０００２】
【従来の技術】
例えば、流し台の上方に設置される吊り戸棚には、その天板や底板に照明器具が取り付けられる場合がある。そのような吊り戸棚では、照明器具が取り付けられる天板や底板として、図７（ａ）に示すように、電源コード等の配線類を収容するための配線収容溝５１が形成された化粧板５０が使用されており、同図（ｂ）に示すように、電源コード５２等を配線収容溝５１に収容した状態で、断面逆門型状の樹脂カバー５３を配線収容溝５１に装着することによって、配線収容溝５１を閉塞するようにしている。
【０００３】
【特許文献１】
特開昭５８−２２００９号公報
【０００４】
【発明が解決しようとする課題】
しかしながら、上述したような吊り戸棚では、天板や底板となる化粧板５０の表面に、配線収容溝５１を閉塞する樹脂カバー５３が露出することになるので、配線収容溝５１や樹脂カバー５３の存在によって、吊り戸棚の外観が損なわれるといった問題がある。
【０００５】
また、天板や底板となる化粧板５０に形成される配線収容溝５１やそれを閉塞する樹脂カバー５３等を隠そうとすると、配線収容溝５１の形成位置が制約を受けることになるので、電源コード等の配線類を任意の位置から引き出すことができず、照明器具等の設置位置が制限されるという問題もある。
【０００６】
そこで、この発明の課題は、外観を損ねたり、配線類の引出位置が制約を受けたりすることなく、配線類を収容することができる化粧板及びその製造方法を提供することにある。
【０００７】
【課題を解決するための手段及びその効果】
上記の課題を解決するため、請求項１に係る発明は、木質基材が表面化粧材によって被覆された化粧板において、前記木質基材は、２枚の板材を相互に貼り合わせることによって形成されており、２枚の前記板材のいずれか一方または双方の貼り合わせ面に、配線類を収容するための配線収容溝が形成されていることを特徴とする化粧板を提供するものである。
【０００８】
以上のように、この化粧板は、２枚の板材を相互に貼り合わせることによって木質基材が形成されており、しかも、２枚の板材のいずれか一方または双方の貼り合わせ面に、配線類を収容するための配線収容溝が形成されているので、木質基材の内部に、配線類を通すための収容空間（通路）が形成されることになる。
【０００９】
従って、この化粧板では、従来の化粧板のように、表面側に配線類を収容するための配線収容溝を形成したり、形成された配線収容溝を樹脂カバー等によって閉塞したりする必要がないので、この化粧板を使用して製造される吊り戸棚等については、その外観が損なわれることがなく、部品点数も少なくなるという効果が得られる。
【００１０】
また、従来の化粧板を使用して製造される吊り戸棚等については、配線収容溝を閉塞する樹脂カバー等を隠すために、配線収容溝の形成位置が制約を受ける場合があったが、この化粧板では、配線収容溝の形成位置を自由に設定することができるので、電源コード等の配線類を任意の位置から引き出すことができ、即ち、照明器具や電源コンセント等の設置位置を自由に設定することができ、デザイン上のバリエーションが広がるといった効果も得られる。
【００１１】
また、木質基材を被覆する表面化粧材としてメラミン板を使用する場合、基材表面に配線収容溝が形成されている従来の化粧板では、配線収容溝に巻き込むようにメラミン板を貼着しなければならないが、この化粧板では、木質基材の表面に配線収容溝が形成されていないので、木質基材に対する表面化粧材の被覆作業を容易に行うことができる。従って、請求項２に係る発明の化粧板のように、表面化粧材としてメラミン板を使用する場合に、特に好適である。
【００１２】
また、請求項１に係る発明の化粧板は、相互に貼り合わされる２枚の板材のいずれか一方または双方の貼り合わせ面に、配線類を収容するための配線収容溝を形成した後、２枚の前記板材を相互に貼り合わせることによって木質基材を形成し、前記木質基材を、表面化粧材によって被覆するようにした請求項３に係る発明の製造方法によって、簡単に製造することができる。
【００１３】
【発明の実施の形態】
以下、実施の形態について図面を参照して説明する。図１〜図３は、本発明の化粧板を用いて製造された吊り戸棚１を示している。この吊り戸棚１は、同図に示すように、左右一対の収納ボックス１０、１０と、両収納ボックス１０、１０の間に設置された、洗浄後の食器等を仮置きすることができる水切り部２０とを備えており、この吊り戸棚１は、水切り部２０がシンク部分と平面的に重なるように、流し台の上方の壁面に設置される。
【００１４】
前記収納ボックス１０、１０は、図１（ａ）に示すように、天板１１、右側板１２、左側板１３、底板１４、背板１５及び棚板１６によって構成されており、左右双方の収納ボックス１０、１０は、一枚の長尺の天板１１によって相互に連結されている。
【００１５】
前記天板１１、右側板１２、左側板１３、底板１４及び棚板１６は、それぞれパーティクルボードからなる木質基材と、この木質基材の表面を被覆する高圧メラミン板とからなる化粧板によって形成されているが、背板１５は、図３（ａ）に示すように、薄板（合板、単板）の表面側が高圧メラミン板によって被覆された表面材１５ａと、この表面材１５ａの裏面側に貼着された心材１５ｂとからなる片面フラッシュボードによって形成されている。
【００１６】
前記水切り部２０は、図１（ａ）、図２（ｂ）及び図３（ｂ）に示すように、合成樹脂によって形成された水切りトレー２１と、この水切りトレー２１の上に装着される水切り網棚２３とを備えており、水切りトレー２１は、左側の収納ボックス１０における右側板１２の下部及び右側の収納ボックス１０における左側板１３の下部にそれぞれ固定された支持フレーム２４、２４を介して支持されている。
【００１７】
前記水切りトレー２１の下面には、その中央部に水溜ポケット２２が引出可能に支持されており、水切り網棚２３に仮置きされた洗浄後の食器等から水切りトレー２１に落ちた滴が、水切りトレー２１に形成された排水孔２１ａから水溜ポケット２２に導かれるようになっている。
【００１８】
また、左右の収納ボックス１０、１０を構成すると共に左右の収納ボックス１０、１０を相互に連結している天板１１には、図１（ａ）、図２（ｂ）及び図３（ｂ）に示すように、左右の収納ボックス１０、１０間の下面に照明器具３０が取り付けられており、右側の収納ボックス１０の右側面には、図１（ａ）、（ｂ）及び図２（ｂ）に示すように、同様の化粧板からなるフィラー１７が取り付けられている。
【００１９】
天板１１を形成している化粧板は、図５（ａ）、（ｂ）に示すように、パーティクルボードからなる２枚の板材Ｐ１、Ｐ２を相互に貼り合わせることによって木質基材Ｍが形成されており、双方の板材Ｐ１、Ｐ２の貼り合わせ面には、相互に対応するように、長手方向の一端から他端に延びる配線収容溝Ｇ１、Ｇ２が予め形成されている。従って、この化粧板を用いて形成された天板１１には、図３（ａ）、（ｂ）及び図４（ａ）、（ｂ）に示すように、その内部に長手方向の一端から他端に延びる配線通路Ｇが形成されることになり、照明器具３０に接続される電源コードを、この配線通路Ｇに通すことができる。
【００２０】
なお、この化粧板は、図５（ａ）に示すように、２枚の板材Ｐ１、Ｐ２の貼り合わせ面に配線収容溝Ｇ１、Ｇ２を形成した後、同図（ｂ）に示すように、２枚の板材Ｐ１、Ｐ２を相互に貼り合わせることによって木質基材Ｍを形成し、この木質基材Ｍを、同図（ｃ）に示すように、高圧メラミン板Ｓを用いて被覆することによって製造される。
【００２１】
また、天板１１を形成している化粧板の上面には、図４（ａ）に示すように、左側の後端から配線通路Ｇに繋がる配線溝１１ａが切削加工されており、化粧板の下面における配線通路Ｇの中央部には、同図（ｂ）に示すように、壁側から配線溝１１ａ及び配線通路Ｇに通した電源コードを引き出すための配線引出穴１１ｂが形成されている。
【００２２】
以上のように、この吊り戸棚１の天板１１を形成している化粧板は、配線収容溝Ｇ１、Ｇ２を形成した２枚の板材Ｐ１、Ｐ２を相互に貼り合わせることによって、内部に配線通路Ｇを有する木質基材Ｍを形成するようにしたので、従来の化粧板のように、表面側に配線収容溝を形成したり、形成された配線収容溝を樹脂カバー等によって閉塞したりする必要がない。従って、この化粧板を使用して製造される吊り戸棚１は、その外観が損なわれることがなく、部品点数も少なくなるという効果が得られる。
【００２３】
また、従来の化粧板を使用して製造される吊り戸棚等については、配線収容溝を閉塞する樹脂カバー等を隠すために、配線収容溝の形成位置が制約を受ける場合があったが、この化粧板では、配線通路Ｇが木質基材Ｍの内部に形成されるため、配線通路Ｇの形成位置を自由に設定することができる。従って、この化粧板によって形成される天板１１では、電源コードを任意の位置から引き出して照明器具３０に接続することができるので、照明器具３０の設置位置が制約を受けることがなく、デザイン上のバリエーションが広がるといった効果も得られる。
【００２４】
また、木質基材を被覆する表面化粧材として高圧メラミン板を使用する場合、基材表面に配線収容溝が形成されている従来の化粧板では、配線収容溝に巻き込むように高圧メラミン板を貼着しなければならないが、この化粧板では、木質基材Ｍの表面に配線収容溝が形成されていないので、高圧メラミン板Ｓによる木質基材Ｍの被覆作業を簡単かつ効率よく行うことができる。
【００２５】
なお、上述した実施形態では、化粧板を構成している木質基材Ｍとして、パーティクルボードからなる板材Ｐ１、Ｐ２を使用しているが、これに限定されるものではなく、例えば、ＭＤＦ、ＨＤＦ等の木質繊維板や合板、オリエンテッドストランドボード（ＯＳＢ）等からなる板材を使用することも可能である。
【００２６】
また、上述した実施形態では、木質基材Ｍを被覆する表面化粧材として、高圧メラミン板を使用しているが、これに限定されるものではなく、例えば、突板、紙、オレフィンシート等の種々の表面化粧材を使用することができる。
【００２７】
また、上述した実施形態では、木質基材Ｍを形成している２枚の板材Ｐ１、Ｐ２の双方の貼り合わせ面に配線収容溝Ｇ１、Ｇ２を形成しているが、これに限定されるものではなく、２枚の板材のうち、いずれか一方の板材の貼り合わせ面に配線収容溝を形成するようにしてもよい。
【００２８】
また、上述した実施形態では、電源コードの配線作業性を考慮して、天板１１を形成している化粧板の上面に、左側の後端から配線通路Ｇに繋がる配線溝１１ａを切削加工しているが、これに限定されるものではなく、配線溝１１ａに相当する配線通路を化粧板の内部に形成することも可能である。
【００２９】
また、上述した実施形態では、吊り戸棚１の天板１１として使用される化粧板について説明したが、これに限定されるものではなく、例えば、図６（ａ）、（ｂ）に示すように、電気ポット、電気炊飯器、電子レンジ等の電気機器を収容設置する家電収納ボックス４０の棚板４１、４２やキッチンカウンタの天板を形成する化粧板のように、電源コンセントを設置するために電源コード等の配線類を通す必要がある場合に、本発明を適用することができる。
【図面の簡単な説明】
【図１】（ａ）はこの発明にかかる化粧板が天板として使用されている吊り戸棚を示す正面図、（ｂ）は同上の吊り戸棚を示す右側面図である。
【図２】（ａ）は同上の吊り戸棚を示す平面図、（ｂ）は同上の吊り戸棚を示す底面図である。
【図３】（ａ）は図１（ａ）のＸ−Ｘ線に沿った断面図、（ｂ）は図１（ａ）のＹ−Ｙ線に沿った断面図である。
【図４】（ａ）は同上の吊り戸棚に使用されている天板を示す上面図、（ｂ）は同上の天板を示す下面図である。
【図５】（ａ）〜（ｃ）は同上の天板を形成している化粧板の製造工程を示す工程図である。
【図６】（ａ）はこの発明にかかる化粧板が使用されている家電収納ボックスを示す正面図、（ｂ）は同上の家電収納ボックスを示す断面図である。
【図７】（ａ）は従来の化粧板を示す断面図、（ｂ）は同上の化粧板に電源コードを収容した状態を示す断面図である。
【符号の説明】
１  吊り戸棚
１０  収納ボックス
１１  天板
１１ａ  配線溝
１１ｂ  配線引出穴
１２  右側板
１３  左側板
１４  底板
１５  背板
１６  棚板
１７  フィラー
２０  水切り部
２１  水切りトレー
２２  水溜ポケット
２３  水切り網棚
２４  支持フレーム
３０  照明器具
４０  家電収納ボックス
４１、４２  棚板
Ｍ  木質基材
Ｐ１、Ｐ２  板材
Ｇ  配線通路
Ｇ１、Ｇ２  配線収容溝
Ｓ  高圧メラミン板
【図１】
2004222813.tif 000003
【図２】
2004222813.tif 000004
【図３】
2004222813.tif 000005
【図４】
2004222813.tif 000006
【図５】
2004222813.tif 000007
【図６】
2004222813.tif 000008
【図７】
2004222813.tif 000009